(57)【特許請求の範囲】
【請求項１】
基地局と無線リンクを介して通信する通信端末と、課金条件に基づいてユーザ識別子毎に課金するユーザ管理サーバとを有する通信システムであって、
前記通信端末は、
前記無線リンクに対する送信用及び／又は受信用のトークンバケットと、
前記トークンバケットのトークンバッファに入力すべきトークンを、前記無線リンクの課金条件を定めたユーザ利用情報に基づいて制御するトークンバッファ制御手段と、
アプリケーションプロセス識別子とコネクションアドレスとを対応付けたテーブルと、
現に転送されているデータパケットのコネクションアドレスに基づくアプリケーション状態情報を前記トークンバッファ制御手段へ通知するアプリケーション状態管理手段と
を有し、
前記通信端末の前記トークンバッファ制御手段は、前記アプリケーション状態情報によって変更されたトークンバッファサイズをユーザ管理サーバへ送信し、
前記ユーザ管理サーバは、受信された前記トークンバッファサイズに基づいて前記課金条件を変更することを特徴とする通信システム。
【請求項２】
前記通信端末は、前記ユーザ利用情報を予め蓄積した固定利用情報蓄積手段を更に有することを特徴とする請求項１に記載の通信システム。
【請求項３】
請求項１に記載の通信端末と、ユーザ識別子に対応するユーザ利用情報を蓄積したユーザ管理サーバとを有する通信システムであって、
前記通信端末は、前記ユーザ管理サーバから前記ユーザ利用情報を受信し、該ユーザ利用情報に基づいて前記トークンバッファ制御手段を制御することを特徴とする請求項１に記載の通信システム。
【請求項４】
基地局と無線リンクを介して通信する通信端末に搭載されたコンピュータを機能させる通信プログラムにおいて、
前記無線リンクに対する送信用及び／又は受信用のトークンバケットと、
前記トークンバケットのトークンバッファに入力すべきトークンを、前記無線リンクの課金条件を定めたユーザ利用情報に基づいて制御するトークンバッファ制御手段と、
アプリケーションプロセス識別子とコネクションアドレスとを対応付けたテーブルを有し、現に転送されているデータパケットのコネクションアドレスに基づくアプリケーション状態情報をトークンバッファ制御手段へ通知するアプリケーション状態管理手段と
してコンピュータを機能させ、
ユーザ識別子に対応するユーザ利用情報を蓄積し、受信されたトークンバッファサイズに基づいて課金条件を変更することができるユーザ管理サーバと通信可能であり、
前記通信端末の前記トークンバッファ制御手段は、前記アプリケーション状態情報によって変更されたトークンバッファサイズをユーザ管理サーバへ送信するようにコンピュータを機能させることを特徴とする通信プログラム。
【請求項５】
前記ユーザ利用情報を予め蓄積した固定利用情報蓄積手段を更に有するようにコンピュータを機能させることを特徴とする請求項４に記載の通信プログラム。
【請求項６】
ユーザ識別子に対応するユーザ利用情報を蓄積したユーザ管理サーバと通信可能であって、
前記ユーザ管理サーバから前記ユーザ利用情報を受信し、該ユーザ利用情報に基づいて前記トークンバッファ制御手段を制御するようにコンピュータを機能させることを特徴とする請求項４に記載の通信プログラム。
【発明の詳細な説明】
【技術分野】
【０００１】
本発明は、無線リンクを介して通信する通信端末と、その通信端末及び基地局を含む通信システムと、その通信端末に搭載されたコンピュータを機能させるプログラムとに関する。
【背景技術】
【０００２】
従来、無線リンクを介してデータパケットを送受信する通信端末は、送信パケットバッファと、受信パケットバッファとを備える。通信端末は、例えば、パーソナルコンピュータのような端末に装着される無線通信カードであって、基地局と無線リンクを介して通信をすることができる。基地局は、移動通信事業者網に接続され、通信端末は、インターネットに接続されたサーバと通信をすることができる。
【０００３】
このような通信端末には、「トークンバケット」と称されるトラフィック制御方式を用いたものがある（例えば、非特許文献１参照）。ＩＰネットワークは、ベストエフォート型であって、一時のバースト的なデータ転送を許容する。しかしながら、１つの通信端末によるバースト的な通信中には、同じリンクに多重化される他の通信端末のデータ転送は抑制される。従って、トークンバケットを用いることにより、１つの通信端末の極端なバースト的なデータ転送を抑制することができる。
【０００４】
図１は、トークンバケットの機能構成図である。
【０００５】
トークンバケット１０１は、データパケットを蓄積するパケットバッファ１０１１と、トークンを蓄積するトークンバッファ１０１２と、バッファ読出部１０１３とを有する。トークンとは、単位量データの送信権利を意味する。バッファ読出部１０１３は、トークンバッファ１０１２に蓄積されたトークンの量に応じて、パケットバッファ１０１１からデータパケットを取り出して転送する。従って、トークンバッファ１０１２に入力されるトークンを制御することにより、データパケットの流量を制御する。
【０００６】
一方、端末−基地局間の無線リンクを提供する通信サービスとして、一般に、転送レートに応じて課金条件が決定されている。この場合、転送レートが高速になるほど、利用者の契約金額が高額となるように課金条件が設定される。
【表１】
0004736657.tif 000002
【０００７】
【非特許文献１】A. Parekh, R.Gallerger, "A generalized processor sharing approach to flow control in integrated services network: the single node case", IEEE/ACM transaction on Networking vol.1, no.3, Jun-93.
【発明の開示】
【発明が解決しようとする課題】
【０００８】
前述したように、従来の通信サービスは、無線リンクの転送レートのみを考慮したものであって、最大バースト長を考慮したものではない。最大バースト長が大きいということは、瞬間的に送信又は受信することができるトラフィック量が大きいことを意味する。転送レートが高くても、最大バースト長が小さいと、必然的に一度に受信できるデータ量が制限されることになる。現在のインターネットの使用状況によれば、サーバからの下り方向へのバースト的なデータ転送が多いのが実情である。
【０００９】
このようなバースト的なデータ転送は、端末のアプリケーションプログラムに大きく依存する。例えばＷｅｂブラウザが起動している場合、１つの静止画像データ（１つの最大バースト長）は例えば１００ｋbyte程度である。一方、ストリーミングアプリケーションが起動している場合、動画像データ（１つの最大バースト長）は例えば１Ｍbyte程度である。この場合、例えば、ストリーミングアプリケーションが起動している場合に、最大バースト長が１００ｋｂｙｔｅであると、無線リンク間のデータ転送に、送信待ち時間が多発して無駄な時間がかかるだけでなく、データパケットを取りこぼす場合もある。
【００１０】
従って、本発明は、最大バースト長に応じた通信サービスを提供することができる通信端末、システム及びプログラムを提供することを目的とする。
【課題を解決するための手段】
【００１１】
本発明によれば、基地局と無線リンクを介して通信する通信端末において、
無線リンクに対する送信用及び／又は受信用のトークンバケットと、
トークンバケットのトークンバッファに入力すべきトークンを、無線リンクを用いることによる課金条件を定めたユーザ利用情報に基づいて制御するトークンバッファ制御手段とを有することを特徴とする。
【００１２】
本発明の通信端末における他の実施形態によれば、ユーザ利用情報を予め蓄積した固定利用情報蓄積手段を更に有することも好ましい。
【００１３】
本発明の通信システムによれば、前述の通信端末と、ユーザ識別子に対応するユーザ利用情報を蓄積したユーザ管理サーバとを有する通信システムであって、
通信端末は、ユーザ管理サーバからユーザ利用情報を受信し、該ユーザ利用情報に基づいてトークンバッファ制御手段を制御することを特徴とする。
【００１４】
また、本発明の通信システムによれば、前述の通信端末と、課金条件に基づいてユーザ識別子毎に課金するユーザ管理サーバとを有する通信システムであって、
通信端末は、アプリケーションプロセス識別子とコネクションアドレスとを対応付けたテーブルを有し、現に転送されているデータパケットのコネクションアドレスに基づくアプリケーション状態情報をトークンバッファ制御手段へ通知するアプリケーション状態管理手段を更に有し、
通信端末のトークンバッファ制御手段は、アプリケーション状態情報によって変更されたトークンバッファサイズをユーザ管理サーバへ送信し、
ユーザ管理サーバは、受信されたトークンバッファサイズに基づいて課金条件を変更することを特徴とする。
【００１５】
更に、本発明の通信システムによれば、前述の通信端末と、課金条件に基づいてユーザ識別子毎に課金するユーザ管理サーバとを有する通信システムであって、
通信端末のトークンバッファ制御手段は、トークンバケットによってバースト的に転送される最大バースト長情報をユーザ管理サーバへ送信し、
ユーザ管理サーバは、受信された最大バースト長情報に基づいて課金条件を変更することを特徴とする。
【００１６】
本発明によれば、基地局と無線リンクを介して通信する通信端末に搭載されたコンピュータを機能させる通信プログラムにおいて、
無線リンクに対する送信用及び／又は受信用のトークンバケットと、
トークンバケットのトークンバッファに入力すべきトークンを、無線リンクを用いることによる課金条件を定めたユーザ利用情報に基づいて制御するトークンバッファ制御手段としてコンピュータを機能させることを特徴とする。
【００１７】
本発明の通信プログラムにおける他の実施形態によれば、ユーザ利用情報を予め蓄積した固定利用情報蓄積手段を更に有するようにコンピュータを機能させることも好ましい。
【００１８】
また、本発明の通信プログラムにおける他の実施形態によれば、ユーザ識別子に対応するユーザ利用情報を蓄積したユーザ管理サーバと通信可能であって、
ユーザ管理サーバからユーザ利用情報を受信し、該ユーザ利用情報に基づいてトークンバッファ制御手段を制御するようにコンピュータを機能させることも好ましい。
【００１９】
更に、本発明の通信プログラムにおける他の実施形態によれば、
ユーザ識別子に対応するユーザ利用情報を蓄積し、受信されたトークンバッファサイズに基づいて課金条件を変更することができるユーザ管理サーバと通信可能であり、
アプリケーションプロセス識別子とコネクションアドレスとを対応付けたテーブルを有し、現に転送されているデータパケットのコネクションアドレスに基づくアプリケーション状態情報をトークンバッファ制御手段へ通知するアプリケーション状態管理手段を更に有し、
通信端末のトークンバッファ制御手段は、アプリケーション状態情報によって変更されたトークンバッファサイズをユーザ管理サーバへ送信する
ようにコンピュータを機能させることも好ましい。
【００２０】
更に、本発明の通信プログラムにおける他の実施形態によれば、
ユーザ識別子に対応するユーザ利用情報を蓄積し、受信された最大バースト長情報に基づいて課金条件を変更することができるユーザ管理サーバと通信可能であり、
トークンバッファ制御手段は、トークンバケットによってバースト的に転送される最大バースト長情報をユーザ管理サーバへ送信する
ようにコンピュータを機能させることも好ましい。
【発明の効果】
【００２１】
本発明によれば、最大バースト長に応じて課金条件を変更することができる、無線リンクの通信サービスを提供することができる。利用者にとっては、使用するアプリケーションに必要となる最大バースト長に対応して課金させることもでき、利用者の費用対効果を高めることができる。一方、通信事業者によっては、１つの通信端末からの最大バースト長を制限することができ、ネットワーク全体の収容能力を高めることができる。
【発明を実施するための最良の形態】
【００２２】
以下では、本発明を実施するための最良の形態について、図面を用いて詳細に説明する。
【００２３】
本発明は、ユーザ利用情報に応じて、端末におけるデータ転送のためのパケットバッファの「最大バースト長」を決定することを特徴とする。具体的には、トークンバケットのトークンバッファに入力されるトークンの量を制御する。
【００２４】
ユーザ利用情報は、課金条件に対応するサービス種別であって、例えば無線リンクに対する課金条件に対応するユーザ契約情報である。以下では、ユーザ利用情報は、ユーザ契約情報であるとして説明する。
【００２５】
トークンバケットの制御パラメータとして、「転送レート」と「トークンバッファサイズ」とがある。「転送レート」は、トークンバッファに入力されるトークンのレートであり、トラフィック流量の平均レートを規定する。「トークンバッファサイズ」は、トークンバッファのサイズであって、トラフィック流量の最大バースト長を規定する。本発明によれば、転送レートだけでなく最大バースト長に基づいて、課金条件の異なるサービス種別の通信サービスを提供することができる。
【００２６】
図２は、本発明におけるシステム構成図である。
【００２７】
図２によれば、端末１は無線通信カード１０を備え、無線リンクを介して基地局３との間でデータパケットを送受信する。端末１と基地局３との間の通信規格として、例えばｃｄｍａ２０００（ＭＣ−ＣＤＭＡ：Multi Carrier-CDMA）における１ｘＥＶＤＯ（1x Evolution Data Optimized）がある。これは、データパケット専用の無線リンクであって、下り最大２．４Ｍｂｐｓ（平均６００ｋｂｐｓ）、上り１５３．６ｋｂｐｓの高速データ転送が可能となる。尚、本発明は、１ｘＥＶＤＯ方式にのみに対応するものではなく、Ｗ−ＣＤＭＡ等様々な通信方式において実施可能である。尚、端末１は、携帯電話機であって、無線通信カード１０を内蔵するものであってもよい。
【００２８】
基地局３は、例えば移動通信事業者網４に接続され、ゲートウェイを介してインターネット５にも接続される。本発明によれば、ユーザ管理サーバ２が、インターネット５に接続されており、端末１の利用者のユーザ識別子に対応するユーザ契約情報を管理する。尚、ユーザ管理サーバ２は、端末１と通信することができる位置に存在していればよく、移動通信事業者網４に接続されるものであってもよい。
【００２９】
ユーザ管理サーバ２は、以下のように、ユーザ識別子毎のユーザ契約情報を蓄積する。
【表２】
0004736657.tif 000003
【００３０】
ユーザ契約情報は、例えば以下のようなサービス種別で規定されている。
【表３】
0004736657.tif 000004
【００３１】
サービス種別によれば、転送レートだけでなく最大バースト長も考慮して、料金が決定されている。転送レートが高速になるほど高額にし、且つ、最大バースト長が大きくなるほど高額にする。前述のサービス種別によれば、サービス５Ｄが最高額と考えられる。
【００３２】
次に、端末１に備えられた無線通信カード１０の機能構成について、詳細に説明する。
【００３３】
無線通信カード１０は、受信トークンバケット１０１と、受信トークンバッファ制御部１０２と、利用情報送受信部１０３と、固定利用情報蓄積部１０４と、送信トークンバケット１０５と、送信トークンバッファ制御部１０６と、アプリケーション状態管理部１０７とを有する。
【００３４】
受信トークンバケット１０１は、パケットバッファ１０１１と、トークンバッファ１０１２と、バッファ読出部１０１３とを有する。同様に、送信トークンバケット１０５は、パケットバッファ１０５１と、トークンバッファ１０５２と、バッファ読出部１０５３とを有する。本発明によれば、受信トークンバケット１０１に入力されるトークン量を制御する受信トークンバッファ制御部１０２と、送信トークンバケット１０５に入力されるトークン量を制御する送信トークンバッファ制御部１０６とを有することに特徴がある。
【００３５】
固定利用情報蓄積部１０４は、ユーザ契約情報を予め蓄積している。この機能によって、例えば無線通信カード自体が販売され流通される場合に、サービス種別毎に異なる金額の無線通信カードを販売することができる。ユーザ契約情報が予め固定されていることにより、トークンバッファ制御部１０２及び１０６は、そのユーザ契約情報に基づいてトークンバッファを制御することができる。
【００３６】
利用情報送受信部１０３は、端末１の利用者のユーザ識別子をユーザ管理サーバ２へ送信する。これに対し、ユーザ管理サーバ２から、ユーザ契約情報を受信する。受信されたユーザ契約情報は、利用情報送受信部１０３から受信トークンバッファ制御部１０２及び送信トークンバッファ制御部１０６へ通知される。これにより、受信トークンバッファ制御部１０２及び送信トークンバッファ制御部１０６は、ユーザ契約情報に応じて最大バースト長を制御することができる。
【００３７】
ここで、受信トークンバッファ制御部１０２及び送信トークンバッファ制御部１０６は、一緒に制御されるものであってもよいし、別々に制御されるものであってもよい。Ｗｅｂサーバからのダウンロードによれば、受信トークンバッファ制御部１０２のみを制御するものであってもよい。また、例えばＴＣＰ(Transport Control Protocol)のスライディングウィンドの特性から、送信トークンバッファ制御部１０６のみを制御することにより、バースト的なデータ転送量を制御するものであってもよい。
【００３８】
受信トークンバッファ制御部１０２及び送信トークンバッファ制御部１０６は、同様に動作する。トークンバッファ制御部は、ユーザ契約情報に基づいてトークンバッファを制御する。トークンバッファ制御部は、具体的には、転送レートが確保できる程度にトークンをトークンバッファへ送出し、且つ、常にトークンバッファに蓄積されたトークンが最大バースト長以上となっているように制御する。
【００３９】
アプリケーション状態管理部１０７は、アプリケーションプロセス識別子とコネクションアドレスとを対応付けたテーブルを有する。例えば、以下の表４のように、PID(application Process IDentification)に対して、ＩＰ(Internet Protocol)アドレスとポート番号とが割り当てられている。
【表４】
0004736657.tif 000005
【００４０】
アプリケーション状態管理部１０７は、転送されるデータパケットのＩＰアドレス及びポート番号を監視する。監視されるデータパケットは、パケットバッファ１０１１に蓄積されたものであってもよいし、バッファ読出部１０１３から読み出されるものであってもよい。即ち、転送されているデータパケットのＩＰアドレス及びポート番号を監視し、そのアプリケーションプロセスＩＤを抽出する。このアプリケーションプロセスＩＤに基づくアプリケーション状態情報を、受信トークンバッファ制御部１０２及び送信トークンバッファ制御部１０６へ通知する。アプリケーション状態情報は、アプリケーションプロセスＩＤそのものであってもよいし、トークンバッファサイズに応じて区分した他の情報であってもよい。
【００４１】
これにより、端末１で起動しているアプリケーションプログラムによって、必要とされる最大バースト長を異ならせることができる。受信トークンバッファ制御部１０２及び送信トークンバッファ制御部１０６は、アプリケーション状態情報に応じて、最大バースト長（トークンバッファサイズ）を変更する。
【００４２】
【表５】
0004736657.tif 000006
【００４３】
例えば、ＶｏＩＰのアプリケーションが起動している場合、遅延ジッタに弱いために、トークンバッファサイズを減らす必要がある。これに対し、ブラウザのようなＷｅｂ画面の閲覧操作のアプリケーションが起動している場合、下りのバースト的な転送が多く、トークンバッファサイズを増やす必要がある。
【００４４】
他の実施の形態として、受信トークンバッファ制御部１０２及び送信トークンバッファ制御部１０６は、変更したトークンバッファサイズを利用情報送受信部１０３へ通知する。利用情報送受信部１０３は、変更された最大バースト長をユーザ管理サーバ２へ送信する。これにより、端末１において必要となるトークンバッファサイズに応じて、ユーザ管理サーバ２は、その利用者に対する課金条件を変更することできる。
【００４５】
課金条件とは、大きく定額制と従量制とに分けられ、定額制であれば時間間隔に応じて料金が決定され、従量制であれば転送されるパケット量に応じて料金が決定される。例えば、定額制であれば、時間間隔とトークンバッファサイズとに応じて料金を決定できる。また、従量制であれば、パケット量とトークンバッファサイズとに応じて料金を決定できる。この場合、転送されるパケット量が同じであっても、トークンバッファサイズによっては課金金額を変更することがでる。例えば、トークンバッファサイズが大きいほど、高額な課金条件にすることができる。従って、どれだけバースト的に転送したか（トークンバッファ中のトークンが最大でどこまで減ったか）に応じて、課金条件が変更される。
【００４６】
図３は、本発明におけるシーケンス図である。
【００４７】
第１の実施の形態について説明する。この実施形態は、例えば無線通信カード自体が販売され流通される場合に、サービス種別毎に異なる金額の無線通信カードを販売するためのものである。無線通信カード自体に予め蓄積されたユーザ契約情報に応じて最大バースト長を制御することができる。
【００４８】
（Ｓ２０１）固定利用情報蓄積部１０４は、受信トークンバッファ制御部１０２へユーザ契約情報を送信する。
（Ｓ２０２）固定利用情報蓄積部１０４は、送信トークンバッファ制御部１０６へユーザ契約情報を送信する。
【００４９】
第２の実施の形態について説明する。この実施形態は、ユーザ管理サーバ２に蓄積されたユーザ識別子毎のユーザ契約情報に基づいて、ユーザ契約情報に応じて最大バースト長を制御することができる。
【００５０】
（Ｓ２２１）利用情報送受信部１０３が、ユーザ管理サーバ２へ、ユーザ識別子を含む利用情報要求メッセージを送信する。
（Ｓ２２２）ユーザ管理サーバ２は、ユーザ識別子に対応するユーザ契約情報を含めた利用情報メッセージを、端末１へ送信する。
（Ｓ２２３）端末１の利用情報送受信部１０３は、受信トークンバッファ制御部１０２へユーザ契約情報を通知する。受信トークンバッファ制御部１０２は、ユーザ契約情報に応じてトークンバッファを制御する。
（Ｓ２２４）端末１の利用情報送受信部１０３は、送信トークンバッファ制御部１０６へユーザ契約情報を通知する。送信トークンバッファ制御部１０６は、ユーザ契約情報に応じてトークンバッファを制御する。
【００５１】
第３の実施の形態について説明する。この実施形態は、転送されるデータパケットに対応するアプリケーションプログラムによって必要となるトークンバッファサイズに応じて、ユーザ管理サーバ２は、その利用者に対する課金条件を変更することできる。
【００５２】
（Ｓ２３１）アプリケーション状態管理部１０７は、転送されるデータパケットに対応するアプリケーション状態情報を、送信トークンバッファ制御部１０６へ通知する。送信トークンバッファ制御部１０６は、アプリケーション状態情報に応じてトークンバッファを制御する。
（Ｓ２３２）送信トークンバッファ制御部１０６は、変更されたトークンバッファサイズを、利用情報送受信部１０３へ通知し、ユーザ管理サーバ２へ送信する。ユーザ管理サーバ２は、変更されたトークンバッファサイズに応じてその利用者に対する課金条件を変更することができる。
（Ｓ２３３）アプリケーション状態管理部１０７は、Ｓ２３１と同様に、アプリケーション状態情報を、受信トークンバッファ制御部１０２へ通知する。受信トークンバッファ制御部１０２は、アプリケーション状態情報に応じてトークンバッファを制御する。
（Ｓ２３４）受信トークンバッファ制御部１０２は、変更されたトークンバッファサイズを、利用情報送受信部１０３へ通知し、ユーザ管理サーバ２へ送信する。ユーザ管理サーバ２は、変更されたトークンバッファサイズに応じてその利用者に対する課金条件を変更することができる。
【００５３】
第４の実施の形態について説明する。この実施形態は、転送されるデータパケットの最大バースト長情報に応じて、ユーザ管理サーバ２は、その利用者に対する課金条件を変更することができる。
（Ｓ２３５）送信トークンバッファ制御部１０６は、所定期間における最大バースト長情報を利用情報送受信部１０３へ通知し、ユーザ管理サーバ２へ送信する。ユーザ管理サーバ２は、受信された最大バースト長情報に応じてその利用者に対する課金条件を変更することができる。
（Ｓ２３６）受信トークンバッファ制御部１０２は、所定期間における最大バースト長情報を利用情報送受信部１０３へ通知し、ユーザ管理サーバ２へ送信する。ユーザ管理サーバ２は、受信された最大バースト長情報に応じてその利用者に対する課金条件を変更することができる。
【００５４】
図４は、時間ｔに対するバッファ蓄積量のグラフである。
【００５５】
図４によれば、トークンバッファサイズが１Ｍbyteで制御されている。時間ｔの経過に応じてパケットバッファ蓄積量が増減するけれども、常に１Ｍbyteのバースト的なデータを転送できるように、トークンバッファが制御される。
【００５６】
前述したように、本発明によれば、最大バースト長に応じて課金条件を変更することができる、無線リンクの通信サービスを提供することができる。利用者にとっては、使用するアプリケーションに必要となる最大バースト長に対応して課金させることもでき、利用者の費用対効果を高めることができる。一方、通信事業者によっては、１つの通信端末からの最大バースト長を制限することができ、ネットワーク全体の収容能力を高めることができる。
【００５７】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００５８】
【図１】トークンバケットの機能構成図である。
【図２】本発明におけるシステム構成図である。
【図３】本発明におけるシーケンス図である。
【図４】時間ｔに対するバッファ蓄積量のグラフである。
【符号の説明】
【００５９】
１  端末
１０  無線通信カード
１０１  受信トークンバケット
１０１１  パケットバッファ
１０１２  トークンバッファ
１０１３  バッファ読出部
１０２  受信トークンバッファ制御部
１０３  利用情報送受信部
１０４  固定利用情報蓄積部
１０５  送信トークンバケット
１０５１  パケットバッファ
１０５２  トークンバッファ
１０５３  バッファ読出部
１０６  送信トークンバッファ制御部
１０７  アプリケーション状態管理部
２  ユーザ管理サーバ
３  基地局
４  移動通信事業者網
５  インターネット
【図１】
0004736657.tif 000007
【図２】
0004736657.tif 000008
【図３】
0004736657.tif 000009
【図４】
0004736657.tif 000010